(57)【要約】【課題】投影されている画像を、迅速かつ簡易な構成でプリントアウトする。【解決手段】投影モードで投影されている投影像を撮影モードに切換え且つシャッター操作を行うことによってインスタントフィルム（感光材料）４０上に撮像できると共に、撮像済みの感光材料４０が排出口から排出される。ハロゲンランプ（光源）１２から投光される光束の光路途中に投影モードまたは撮影モードを切換えるための切換ミラー２６を設け、投影像を感光材料に撮像する撮影モードにおいてＣＰＵ５０が光量制御手段５２および色再現特性制御手段５４を感光材料の分光特性に対応するように制御する。そのため、従来のような画像データに関する入出力機構が不要となるので、構成が簡易になる。また、光路途中の投影像を感光材料の分光特性に対応するよう感光材料４０上に露光し撮像するので、最適な投影像を迅速にプリントアウトし得る。【選択図】　　　　図３
2004037896.tif 000002
【特許請求の範囲】
【請求項１】
光源から射出された光で、かつ画像情報により示される画像を担持した光を投影するプロジェクタであって、
前記光源の光量を調整する光量調整手段と、
前記光源から射出された光の光路上に配置される感光材料と、
前記光源から射出された光によって担持された画像の画質を調整する画質調整手段と、
前記光源の光路の進行方向を切換える，または前記感光材料を前記光源の光路上および前記光路上から離間するように切換える切換手段と、
前記切換手段の切換に応じて、前記光量調整手段および前記画質調整手段をそれぞれ制御する制御手段と、
を有するプロジェクタ。
【請求項２】
前記制御手段は、前記光量調整手段および前記画質調整手段を、前記感光材料の分光特性に対応するよう制御する請求項１のプロジェクタ。
【請求項３】
前記光源から射出された光によって担持された画像を、前記感光材料に撮像する際の露出を調整する露出調整手段を備える請求項１記載のプロジェクタ。
【発明の詳細な説明】
【０００１】
【発明の属する技術分野】
本発明は、光源から射出された光で、かつ画像情報により示される画像を担持した光を投影するプロジェクタに関する。
【０００２】
【従来の技術】
従来のプロジェクタには、投影されている画像などをプリンタで記録紙に印刷するプリンタ付きのプロジェクタが提案されている。例えば、特開平５−９３９５７号公報には、サーマルプリンタを備えたオーバーヘッドプロジェクタが開示されている。上記公報に係る発明は、フレキシブルディスクなどの記録媒体から読込んだ画像データを画像メモリに記録し、そして画像メモリに記録された画像データなどをサーマルプリンタに出力するオーバーヘッドプロジェクタである。
【０００３】
また、特開２００１−３１２００１号公報には、ホワイトボードへの投影像およびこの投影像のホワイトボード上に記入した記入済みの合成像などを撮像する外部カメラと，上記合成像などを記録紙に印刷する外部プリンタとを備えた投影像記憶システムが開示されている。すなわち、上記公報に係る発明は、上記合成像を外部カメラで撮像した画像データを、プリンタに出力させる投影像記憶システムである。
【０００４】
【発明が解決しようとする課題】
ところで、上記特開平５−９３９５７号公報に係る発明では、画像データの入出力機構、たとえば画像データを記録する画像メモリ，プリンタ用のインターフェイス，およびプリンタなどが必要である。
【０００５】
また、上記特開２００１−３１２００１号公報に係る発明では、上記合成像を撮像する外部カメラおよび外部カメラで撮像した画像データを出力する外部プリンタなどが必要である。即ち、上記各公報に係る発明では、画像データに関する入出力機構が必要となり、そのため構成が複雑になっていた。
【０００６】
本発明の目的は、上記事実を考慮して、投影されている画像を、迅速かつ簡易な構成でプリントアウトするプロジェクタを提供する。
【０００７】
【課題を解決するための手段】
請求項１記載のプロジェクタでは、光源から射出された光で、かつ画像情報により示される画像を担持した光を投影するプロジェクタであって、前記光源の光量を調整する光量調整手段と、前記光源から射出された光の光路上に配置される感光材料と、前記光源から射出された光によって担持された画像の画質を調整する画質調整手段と、前記光源の光路の進行方向を切換える，または前記感光材料を前記光源の光路上および前記光路上から離間するように切換える切換手段と、前記切換手段の切換に応じて、前記光量調整手段および前記画質調整手段をそれぞれ制御する制御手段と、を有する。
【０００８】
請求項２記載に係る制御手段は、前記光量調整手段および前記画質調整手段を、前記感光材料の分光特性に対応するよう制御する。また、請求項３記載に係るプロジェクタは、前記光源から射出された光によって担持された画像を、前記感光材料に撮像する際の露出を調整する露出調整手段を備える。
【０００９】
本発明は、感光材料を光源から射出された光の光路上すなわち投影画像である投影像の光路途中に配置し、上記投影像を感光材料に直接露光する新規な構成である。本発明のように構成した場合には、光源の光量および投影像の画質などを調整する必要がある。
【００１０】
即ち、スクリーン上に投影像を投影する投影モードでは通常輝度が高く、一方光路途中の投影像を感光材料に直接露光する撮影モードでは投影モードよりも輝度が低い。従って、両モードでは光量に差があり、投影モードの定格発光量のままでは撮影モードでの感光材料における露光が強すぎて感光材料上に画像を形成できない。
【００１１】
また、撮影モードでは、感光材料の分光特性に応じ、赤色光，緑色光，および青色光（ＲＧＢ）における色バランスの出力レベルなどが異なるので、上記色バランスなどを調整する必要がある。
【００１２】
そのため、本発明では、切換手段によって投影像が感光材料に投光されるように光源の光路の進行方向を切換えまたは感光材料を光源の光路上に位置するように切換え、撮影モードとする。そして、本発明は、制御手段が光量調整手段および画質調整手段を制御することにより、光源の光量が最適な光量となるよう調整すると共に、光源から射出された光によって担持された画像の画質が最適な画質となるよう調整する。
【００１３】
なお、請求項３に係る発明では、感光材料上における撮影モードでの投影像に対して適切な露光量が得られるように、露出調整手段を構成する絞り，シャッターなどを制御する。そして、露出調整手段は、撮影モードにおける光路途中の投影像を感光材料上に露光させ、撮像処理を行う。
【００１４】
本発明においては、投影モードで投影されている投影像を、撮影モードに切換えることによって感光材料上に撮像できる。即ち、本発明によれば、光源から投光される光束の光路途中に投影モードまたは撮影モードを切換えるための切換手段を設け、投影像を感光材料に撮像する撮影モードにおいて制御手段が光量調整手段および画質調整手段をたとえば感光材料の分光特性に対応するように制御するので、従来のような画像データに関する入出力機構が不要となり、そのため構成が簡易になる。
【００１５】
また、請求項２に係る発明によれば、光路途中の投影像を感光材料の分光特性に対応するよう感光材料上に露光し撮像するので、最適な投影像を迅速にプリントアウトし得る。そして、本発明においては、感光材料をいわゆる自己現像処理タイプ（インスタントフィルム）の写真にすれば、撮影モードでの投影像を瞬時に写真としてプリントアウトできる。なお、請求項１記載に係る画質調整手段は、色バランス，色相，色彩度，コンストラスト，および階調カーブの少なくとも一つを調整する。
【００１６】
【発明の実施の形態】
以下、図１乃至図４に基づいて、本発明の実施形態であるプロジェクタについて説明する。本実施形態のプロジェクタは、画像データをパーソナル・コンピュータ（以下、単に「ＰＣ」という）から入力するタイプであると共に、いわゆる自己現像処理タイプ（以下、単に「インスタントフィルム」という）の感光材料を装填するタイプである。なお、図１は本実施形態のプロジェクタの外観を示す斜視図、図２は図１に示すプロジェクタの光学系の概略図、図３は図２に示すプロジェクタに関するブロック図である。
【００１７】
図２に示すように、プロジェクタ１０は、光源であるハロゲンランプ１２と、ハロゲンランプ１２の照射方向に配置された透過型のカラー液晶パネル１４，１５，１６と、カラー液晶パネル１４，１５，１６にそれぞれ対向して配置されたレンズ１８，１９，２０と、レンズ１８，１９，２０にそれぞれ対向して配置されたハーフミラー２２，２３，２４とを備える。
【００１８】
カラー液晶パネル１４，１５，１６は、３原色光の赤色光，緑色光，青色光（ＲＧＢ）をそれぞれ透過するパネルであり、カラー液晶パネル１４は赤色光（Ｒ光）のみを透過するパネル、カラー液晶パネル１５は緑色光（Ｇ光）のみを透過するパネル、カラー液晶パネル１６は青色光（Ｂ光）のみを透過するパネルである。プロジェクタ１０には、レンズ１８，１９，２０を光軸に沿ってスライドさせるレンズドライバー２１（図３参照）が配置されており、ズーム操作によってレンズ１８，１９，２０の焦点距離が変わる。
【００１９】
プロジェクタ１０内には、光路切換手段の一部を構成する切換ミラー２６が、光路を直角に屈曲させるハーフミラー２２，２３，２４からの反射光（光路）上に、回転可能に配置されている。即ち、切換ミラー２６は、ハロゲンランプ１２から投光される光束の光路途中に配置されていると共に、光路切換手段であるミラー切換モータ２８（図３参照）を連結している。
【００２０】
カラー液晶パネル１４，１５，１６には、Ｒ光，Ｇ光，Ｂ光毎に割り振られた画像データに応じた画像が表示される。そして、切換ミラー２６には、カラー液晶パネル１４，１５，１６からのＲ光，Ｇ光，Ｂ光の各画像が、ハーフミラー２２，２３，２４を介し、重なり合うカラー画像として担持される。
【００２１】
図２に示すように、切換ミラー２６は、所定（本実施形態では、９０度）の角範囲にわたって回転し、光路を投影レンズ３０側または撮影レンズ３４側に切換える。即ち、切換ミラー２６は投影レンズ３０および撮影レンズ３４の間に配置されており、投影レンズ３０および撮影レンズ３４は光軸が直線上に位置するように配置されている。
【００２２】
なお、投影レンズ３０はレンズ筒３１内をスライドし、ズーム操作によって投影レンズ３０の焦点距離が変わる。また、投影レンズ３０の外側には開放口が形成されており、その開放口には図１に示すような防塵用のガラス３３が配置されている。
【００２３】
一方、撮影レンズ３４側には、撮影レンズ３４を通り抜ける光の量（露出）を調整するためのメカニカル・シャッター及び絞り（以下、単に「シャッター・絞り」という）３６と，インスタントフィルム（写真）４０を収納したフィルムパック４２とが配置されている。
【００２４】
露出調整手段の一部を構成するシャッター・絞り３６は撮影レンズ３４とフィルムパック４２との間に配置されており、シャッター・絞り３６には露出調整手段の一部を構成するシャッター・絞りドライバー３８（図３参照）が接続されている。なお、シャッター・絞り３６は、通常は全閉となっており、撮影操作された場合に開放されるよう設定されている。
【００２５】
図１に示すように、フィルムパック４２は、プロジェクタ１０に形成されたフィルム装填部４４内に装填され、撮影レンズ３４（図２参照）の光軸上に位置するよう配置される。また、プロジェクタ１０には、そのフィルム装填部４４の上部に、インスタントフィルム４０を外部に排出する排出口４６が形成されている。なお、プロジェクタ１０には、フィルム装填部４４を開閉するための扉４８が配置されている。
【００２６】
インスタンフィルム４０およびフィルムパック４２は、市販されている周知のフィルムおよびパックである。即ち、フィルムパック４２は、箱形状に形成されたケース４３と、ケース４３内に積層された複数枚のインスタントフィルム４０（図２参照）とを備える。
【００２７】
ケース４３の前面側（撮影レンズ３４側）には、図２に示すインスタンフィルム４０の露光面４０Ａを開放させる開口４３Ａが形成されている。なお、ケース４３の上面側（排出口４６側）にはインスタンフィルム４０を排出するスリット状のフィルム出口（図示省略）が形成されており、フィルム出口はフィルム排出時を除き柔軟性のある遮光シート（図示省略）によって閉鎖されている。
【００２８】
インスタントフィルム４０は、透過式のモノシートタイプであり、画像が露光される露光面４０Ａと，露光面４０Ａの反対側に設けられたポジ像形成面と，露光面４０Ａおよびポジ像形成面の間に設けられた感光層と，現像処理液を封入したポッド部と，ポッド部から感光層に流下して余った現像処理液を吸収するトラップ部などを備える。そして、インスタントフィルム４０は、現像処理液によって現像処理されると、露光面４０Ａに形成される潜像が、ポジ像としてポジ像形成面に現れる。
【００２９】
なお、フィルム装填部４４には、撮影済みのインスタントフィルム４０を、ケース４３のフィルム出口へ送出する送出機構（図示省略）が配置されている。また、フィルム装填部４４の排出口４６側には図示しないモータが連結された一対のローラが配置されており、ローラはケース４３のフィルム出口から送り出されたインスタントフィルム４０を排出口４６へ搬送する。
【００３０】
上記搬送の際、一対のローラは、インスタントフィルム４０のポッド部を押圧し破裂させ、ポッド部内の現像処理液を感光層に流下させながら展延する。なお、ポッド部から感光層に流下して余った現像処理液は、インスタントフィルム４０のトラップ部に送り込まれ、トラップ部内で吸収され固化する。
【００３１】
次に、図３に示すブロック図に基づき、プロジェクタ１０に関する構成を概説する。プロジェクタ１０全体の動作を司る制御手段としての中央演算処理装置（ＣＰＵ）５０には、光源（ハロゲンランプ）１２の光量を制御する光量制御手段（出力ドライバー）５２、およびカラー液晶パネル１４，１５，１６に対して色バランス，色相，色彩度，コンストラスト，階調カーブなどの色再現特性を制御する色再現特性制御手段（出力ドライバー）５４がそれぞれ接続されている。
【００３２】
ＣＰＵ５０は、インスタントフィルム４０が、フィルム装填部４４に装填されているか否かを、センサー３９によって検出する。また、感光材料（インスタントフィルム４０）毎に分光特性が異なるので、ＣＰＵ５０は、フィルム装填部４４に装填されるインスタントフィルム４０のＩＳＯ感度を検出し、メモリ６２に記憶させる。
【００３３】
そして、感光材料毎に３原色光の赤色光，緑色光，青色光（ＲＧＢ）における色バランスの出力レベルなどが異なるので、ＣＰＵ５０は、感光材料の分光特性に応じてカラー液晶パネル１４，１５，１６の透過率または色バランスなどを、色再現特性制御手段５４を介して制御する。即ち、カラー液晶パネル１４，１５，１６におけるＲ光，Ｇ光，Ｂ光は、ＲＧＢ各色の画像に対応するカラー液晶パネル１４，１５，１６の画素の電極を駆動することによって変調される。
【００３４】
また、ＣＰＵ５０には、投影レンズ３０に対するズーム処理を行うレンズドライバー２１と、切換ミラー２６を回転させて切換えるミラー切換モータ２８と、シャッター・絞り３６のシャッタースピードまたは絞り値などを制御するシャッター・絞りドライバー３８とがそれぞれ接続されている。即ち、ＣＰＵ５０は、シャッター・絞り３６を、感光材料のＩＳＯ感度と絞り値とに応じて露光面４０Ａ（図２参照）に適切な露光量を与えるようなタイミングで駆動させる。
【００３５】
さらに、ＣＰＵ５０には、電源スイッチ，モード切換スイッチ，レリーズボタンなどの各種操作キーを備える操作部５６、および各種データの授受を中継するインターフェース（Ｉ／Ｆ）５８がそれぞれ接続されている。即ち、Ｉ／Ｆ５８は、ＰＣ６２との間で各種データの授受を中継し、ＰＣ６２から転送される画像データなどのデータ転送を制御する。
【００３６】
図４を参照して、プロジェクタ１０によって実行される投影モードまたは撮影モードに関する処理について説明する。なお、投影モードまたは撮影モードの処理は、図３に示すように、ＰＣ６２がＩ／Ｆ５８を介してプロジェクタ１０に接続されている状態で実行される。ここで、投影モードは、スクリーン６４（図３参照）上に投影像を投影するモードであり、通常輝度が高い（約１０００ルーメン（ｌｍ））。一方、撮影モードは、光路途中の投影像を感光材料に直接露光するモードであり、投影モードよりも輝度が低い（約５００カンデラ／ｍ２（ｃｄ／ｍ２））。
【００３７】
図４に示すモード処理は、プロジェクタ１０の電源スイッチ（図示省略）がオンされた際にＣＰＵ５０によって実行される処理ルーチンを示すフローチャートであり、該プログラムは予めメモリ６０のプログラム領域（図示省略）に記憶されている。なお、図４に示すモード処理では、初期設定として、プロジェクタ１０の本来の機能である投影モードになるようプログラムされている。
【００３８】
即ち、ステップ１００では、切換ミラー２６を投影側すなわち図２の実線に示すようにハーフミラー２２，２３，２４からの反射光が投影レンズ３０に向かうように、切換ミラー２６をミラー切換モータ２８により回転させて設定（位置決め）する。
【００３９】
ステップ１０２では投影モードとし、光源１２の光量を予め設定されている固定的な定格発光量（撮影モードよりも輝度が高い光量）になるよう光量制御手段５２を制御すると共に、ＰＣ６２から転送された画像データに応じて割り振られたＲ光，Ｇ光，Ｂ光をカラー液晶パネル１４，１５，１６に表示させる。
【００４０】
即ち、カラー液晶パネル１４，１５，１６にはＲ光，Ｇ光，Ｂ光毎に割り振られた画像データに応じた画像が表示され、この状態で光源であるハロゲンランプ１２から射出された光が各カラー液晶パネル１４，１５，１６を透過すると、ＲＧＢ各色毎の画像が担持された光となる。
【００４１】
そして、切換ミラー２６にはカラー液晶パネル１４，１５，１６からのＲ光，Ｇ光，Ｂ光の各画像がハーフミラー２２，２３，２４を介して重なり合うカラー画像として担持され、この重なり合ったカラー画像（映像）が投影レンズ３０を介してスクリーン６４上に投影される。
【００４２】
ステップ１０４では、図３に示す操作部５６でのモード切換操作に基づき、撮影モードか否かを判断する。即ち、投影モードから撮影モードへの切換えは、投影モードで投光（投影）している映像を、感光材料であるインスタントフィルム４０に静止画として撮影を希望する場合に行う操作である。
【００４３】
ステップ１０４の判断が肯定の場合すなわち撮影モードである場合には、ステップ１０６で切換ミラー２６を撮影側に切換える。即ち、ステップ１０６では、切換ミラー２６を撮影側すなわち図２の想像線に示すようにハーフミラー２２，２３，２４からの反射光が撮影レンズ３４を介してインスタントフィルム４０に向かうように切換える。
【００４４】
ステップ１０８では、フィルムパック４２内に収納されるインスタントフィルム４０が、フィルム装填部４４に装填されているか否かをセンサー３９に基づき判断する。ステップ１０８の判断が否定の場合すなわちインスタントフィルム４０がフィルム装填部４４に装填されていない場合には、ステップ１１０において警告処理たとえば図示しないスピーカで「フィルムが無い」などの音声を出力させたり，または図示しないディスプレイ（表示手段）に「フィルムが無い」などのメッセージを表示させる。
【００４５】
そして、ステップ１１０の処理終了後、再びステップ１０８に戻り、インスタントフィルム４０がフィルム装填部４４に装填されているか否かを検出する。なお、本実施形態では、ステップ１０８およびステップ１１０の処理を複数回行っても、インスタントフィルム４０がフィルム装填部４４に装填されない場合には強制的に投影モードに戻るように設定しても良い。
【００４６】
ステップ１０８の判断が肯定の場合すなわちインスタントフィルム４０がフィルム装填部４４に装填されている場合には、ステップ１１２において、インスタントフィルム４０のＩＳＯ感度（たとえば「ＩＳＯ−７８１０」など）を検出し、メモリ６２に記憶させる。
【００４７】
ここで、インスタントフィルム４０のＩＳＯ感度を検出するのは、以下の理由に基づくものである。すなわち、感光材料毎に３原色光の赤色光，緑色光，青色光（ＲＧＢ）における色バランスの出力レベルなどが異なるため、ＣＰＵ５０は、カラー液晶パネル１４，１５，１６の透過率または色バランスなどが感光材料の分光特性に対応するように、シャッター・絞りドライバー３８，光量制御手段５２，色再現特性制御手段５４などを制御する必要があり、そのための基準データとしてＩＳＯ感度を用いる。即ち、メモリ６２に記憶したＩＳＯ感度に対応する光量などは、メモリ６２に予め記憶されているテーブルによって設定する。
【００４８】
ステップ１１４では、図３に示す光量制御手段５２を介して、投影モードよりも輝度が低く、かつインスタントフィルム４０の分光特性に対応するように、光量を制御する。また、ステップ１１６では、図３に示す色再現特性制御手段５４を介して、インスタントフィルム４０の分光特性に対応するように、カラー液晶パネル１４，１５，１６における色バランス，色相，色彩度，コンストラスト，階調カーブなどの色再現特性を制御する。
【００４９】
ステップ１１８では、図３に示す操作部５６に配置されたシャッター操作により、光量制御で設定されたシャッタースピードと絞り値に応じて撮影する。即ち、シャッター・絞り３６は、シャッター・絞りドライバー３８を介して、インスタントフィルム４０のＩＳＯ感度および絞り値に対応するタイミングで駆動する。
【００５０】
そのため、インスタントフィルム４０のポジ像形成面には、上記露光面４０Ａに形成される潜像がポジ像として現れる。即ち、本実施形態においては、投影モードで投影されている投影像を撮影モードに切換え且つシャッター操作を行うことによってインスタントフィルム４０上に撮像できると共に、図１に示すように撮像済みのインスタントフィルム４０が排出口４６から排出（プリントアウト）される。
【００５１】
本実施形態によれば、ハロゲンランプ１２から投光される光束の光路途中に投影モードまたは撮影モードを切換えるための切換ミラー２６を設け、投影像を感光材料に撮像する撮影モードにおいてＣＰＵ５０が光量制御手段５２および色再現特性制御手段５４を感光材料の分光特性に対応するように制御するので、従来のような画像データに関する入出力機構が不要となり、そのため構成が簡易になる。
【００５２】
また、本実施形態によれば、光路途中の投影像を感光材料の分光特性に対応するよう感光材料上に露光し撮像するので、最適な投影像を迅速にプリントアウトし得る。そして、本実施形態においては、感光材料を自己現像処理タイプ（インスタントフィルム）の写真としたので、撮影モードでの投影像を瞬時に写真としてプリントアウトできる。
【００５３】
ところで、本実施形態において、投影モードで投光している映像をインスタントフィルム４０に静止画として撮像する際には切換ミラー２６によって投光方向をインスタントフィルム４０側に切換えるので、スクリーン６４上に投影される投影像が、一瞬だけ消える（表示されない）。なお、本実施形態では、ハロゲンランプ１２から投光される光束の光路を複数設け、投影像をスクリーン６４上に投影する状態で、インスタントフィルム４０にも撮像し得るように構成しても良い。
【００５４】
ステップ１１８の処理後またはステップ１０４の判断が否定の場合すなわち撮影モードでない場合には、ステップ１２０において、作動終了たとえば電源スイッチのオフなどのタイミングか否かを判断する。ステップ１２０の判断が否定の場合すなわち作動終了のタイミングでない場合には、ステップ１００に戻り、投影モードの処理を行う。一方、ステップ１２０の判断が肯定の場合すなわち作動終了のタイミングである場合には、本フローチャートの処理を終了する。
【００５５】
図５には、図２に示すプロジェクタの光学系機構とは異なる例が示されている。なお、図５において、図２と対応する部分には同一符号を付し、その詳細説明は省略する。
【００５６】
本例は、撮影時にのみインスタントフィルム４０をレンズ７２と投影レンズ３０との間に移動させ、かつ撮影時にレンズ７２をインスタントフィルム４０に応じる焦点距離となるよう光軸に沿ってスライドさせる例である。即ち、レンズ７２は、図５の実線または図５の想像線に示すように、投影モードまたは撮影モードに応じて、光軸に沿ってスライドする。
【００５７】
そのため、発光素子７０から投光された光の焦点は、投影レンズ３０またはインスタントフィルム４０に応じて合致する。なお、撮像後は、レンズ７２を図５の実線の位置までスライド（復帰）させ、投影モードとする。本例においても、発光素子７０からの投光が、インスタントフィルム４０によって一時的に遮断される。なお、その他の構成および作用効果は図２に示す例と同様であるので、説明は省略する。
【００５８】
なお、本実施形態ではプロジェクタ１０と他の装置（ＰＣ６２）とをＩ／Ｆ５８などにより接続する場合について説明したが、本発明はこれに限定されるものではなく、有線通信（例えば、ＩＥＥＥ１３９４等）により接続する形態や、無線通信（例えば、ブルートゥース、ＩｒＤＡ等）により接続する形態とすることもできる。
【００５９】
また、本発明に係る感光材料は、インスタントフィルムに限定されるものではない。さらに、本実施形態において説明した各プログラムの処理の流れ（図４参照）は一例であり、本発明の主旨を逸脱しない範囲内において適宜変更可能であることは言うまでもない。
【００６０】
【発明の効果】
以上説明したように、本発明によれば、投影モードで投影されている投影像を、撮影モードに切換えることによって感光材料上に撮像できる。即ち、本発明によれば、光源から投光される光束の光路途中に投影モードまたは撮影モードを切換えるための切換手段を設け、投影像を感光材料に撮像する撮影モードにおいて制御手段が光量調整手段および画質調整手段を例えば感光材料の分光特性に対応するように制御するので、従来のような画像データに関する入出力機構が不要となり、そのため構成が簡易になる。
【図面の簡単な説明】
【図１】本発明の実施形態に係るプロジェクタの外観を示す斜視図である。
【図２】図１に示すプロジェクタの光学系の概略図である。
【図３】図２に示すプロジェクタに関するブロック図である。
【図４】図３に示すプロジェクタによって実行される投影モードまたは撮影モードに関する処理の流れを示すフローチャートである。
【図５】図２に示すプロジェクタの光学系機構とは異なる例を示す図である。
【符号の説明】
１０　　　　　　　　　プロジェクタ
１２　　　　　　　　　ハロゲンランプ（光源）
２６　　　　　　　　　切換ミラー（切換手段）
３６　　　　　　　　　シャッター・絞り（露出調整手段）
３８　　　　　　　　　シャッター・絞りドライバー（露出調整手段）
４０　　　　　　　　　インスタントフィルム（感光材料）
４０Ａ　　　　　　　　インスタントフィルムの露光面
５０　　　　　　　　　中央演算処理装置（制御手段）
５２　　　　　　　　　光量制御手段（光量調整手段）
５４　　　　　　　　　色再現特性制御手段（画質調整手段）
【図１】
2004037896.tif 000003
【図２】
2004037896.tif 000004
【図３】
2004037896.tif 000005
【図４】
2004037896.tif 000006
【図５】
2004037896.tif 000007